(57)【特許請求の範囲】
【請求項１】
底部にＨＩＤランプを着脱可能に取着するランプホルダーが接続され、上部に開口部を有する有底筒状ケースと、
この筒状ケースの底部内側に収納され充填材で固定した積層鉄心とコイルとからなる安定器と、
前記筒状ケース上部の開口部に取付けられて前記筒状ケースの上方に突出した電源ボックスと、
前記筒状ケースの外部に配置された白熱灯とを備え、
前記電源ボックスには、前記ＨＩＤランプの始動時、再始動時に当該ＨＩＤランプの光束が安定するまでの間、前記白熱灯を自動点灯、自動消灯させる光補償装置を、前記筒状ケースの上部開口部よりも上方に位置するように取付けたことを特徴とする照明器具。
【発明の詳細な説明】
【０００１】
【発明の属する技術分野】
本発明は、白熱灯とＨＩＤランプとを備えた照明器具に関する。
【０００２】
【従来の技術】
図３を参照して従来技術に係る照明器具について説明する。
【０００３】
照明器具は、中間部に配置され内部に放電灯安定器などが内蔵された筒状ケースと、当該筒状ケースの上部に配置された電源ボックスと下部に配置されてＨＩＤランプを着脱可能に取着するランプホルダーなどから構成されている。
【０００４】
前記アルミ製などの材料からなる筒状ケース５の上部開口５ａ側には、上蓋１１が嵌着して取付けられるとともに電気スポット溶接などで筒状ケース５に固定されている。また、上蓋１１上面には、端子台（図示せず）などが取付けられた電源ボックス１０が電気スポット溶接などで一体的に固定されている。
【０００５】
前記筒状ケースの上蓋１１を底部として立設し、当該筒状ケース内に積層鉄心とコイルとからなる放電灯安定器１５を収納するとともに、当該放電灯安定器１５と支持金具２１に取付けられた光補償装置２０とをリード線にて結線する。
【０００６】
つぎに、上部側に配置された筒状ケースの下部開口５ｂから放電灯安定器１５全体が埋まるまで充填材である樹脂１６を充填するとともに、光補償装置に取付けられている支持金具２１のＬ字状先端部２１ａを樹脂１６に埋込み、当該樹脂１６で固定する。なお、当該光補償装置２０は、支持金具２１にて垂直方向に保持されているので、照明器具の高さが高くなり、薄型化を防げている。
【０００７】
それから、筒状ケース５の下部開口５ｂ側に嵌着して取付けられる下蓋１２の裏側には、力率改善用コンデンサー２５をねじ（図示せず）で固定するとともに、下蓋１２の表側には、ＨＩＤランプが着脱可能に取着されるランプホルダー３０がねじ（図示せず）にて固定される。力率改善用コンデンサー２５とランプホルダー３０とを放電灯安定器１５や光補償装置２０とで結線し、下蓋１２を前記筒状ケース５の下部開口５ｂに嵌着して取付けるとともに、ねじ（図示せず）で機械的に固定する。
【０００８】
なお、ＨＩＤランプは、水銀ランプ，高圧水銀ランプ，メタルハライドランプなどの総称である。
【０００９】
さらに、光補償装置２０と接続され先端にソケット３８が取付けられたリード線３７が、下蓋１２から外部に導出され、前記ソケット３８には、白熱灯３９が取付けられている。
【００１０】
なお、前記光補償装置２０は、ＨＩＤランプ３２の始動時、再始動時に当該ＨＩＤランプの光束が安定するまでに約７分から約１０分程度時間を要することから、当該ＨＩＤランプの光束が安定するまでの間、照明器具の外部に配置した白熱灯３９を自動点灯、自動消灯させ電解コンデンサーやトライアックなどの電子部品を搭載した回路基板を例えばアルミ材などからなるケース内に収められているものから構成している。
【００１１】
【発明が解決しようとする課題】
上記のように従来の白熱灯とＨＩＤランプとを備えた照明器具は、ＨＩＤランプの始動時、再始動時に当該ＨＩＤランプの光束が安定するまでの間、白熱灯を自動点灯、自動消灯させる光補償装置は、筒状ケース内に収納されるとともに、熱発生源である放電灯安定器とＨＩＤランプの間に配置されている。また、前記光補償装置には、温度依存のある電子部品である電解コンデンサやトライアックなどが使用されている。
【００１２】
このため、高価な定格の高い電子部品を使用することから、安価な照明器具を提供できないという問題があった。
【００１３】
本発明は上記の点に鑑みてなされたもので、安価な光補償装置を搭載可能とする照明器具を提供することを課題とする。
【００１４】
【課題を解決するための手段】
前記課題を達成するために、本発明の照明器具は、底部にＨＩＤランプを着脱可能に取着するランプホルダーが接続され、上部に開口部を有する有底筒状ケースと、この筒状ケースの底部内側に収納され充填材で固定した積層鉄心とコイルとからなる安定器と、前記筒状ケース上部の開口部に取付けられて前記筒状ケースの上方に突出した電源ボックスと、前記筒状ケースの外部に配置された白熱灯とを備え、前記電源ボックスには、前記ＨＩＤランプの始動時、再始動時に当該ＨＩＤランプの光束が安定するまでの間、前記白熱灯を自動点灯、自動消灯させる光補償装置を、前記筒状ケースの上部開口部よりも上方に位置するように取付けたことを特徴とするものである。
【００１５】
上記の構成において、温度依存のある電子部品を搭載している光補償装置は、筒状ケースの上部に配置した電源ボックスに取着するとともに、熱発生源である放電灯安定器とＨＩＤランプとは、前記光補償装置と反対側である筒状ケース下方内に収納するとともに、当該筒状ケースの底部に取付けられている。
【００１６】
このため、温度依存のある電子部品を搭載している光補償装置は、熱発生源である放電灯安定器とＨＩＤランプより距離を離して配置され、その結果、光補償装置に使用している温度依存のある電子部品の定格を低くすることができる。
【００１７】
【発明の実施の形態】
以下、図１および図２を参照して本発明の実施の形態である照明器具について説明する。なお、従来技術と同一の構成部品は同一番号を付して説明する。
【００１８】
照明器具は、中間部に配置され内部に放電灯安定器１５などが内蔵された有底状の筒状ケース４０と、当該有底状の筒状ケースの上部開口部４３側に配置された電源ボックス５０と、有底状の底部４１側に配置されＨＩＤランプ３２を着脱可能に取着するランプホルダー３０などから構成されている。
【００１９】
前記有底状の筒状ケース４０の底部４１には、ＨＩＤランプ３２が着脱可能に取着されるランプホルダー３０がねじ（図示せず）により固定されるとともに、当該底部４１中央には、ランプホルダー３０に接続されたリード線３３を挿通するリード線挿通孔４４が穿設され、当該リード線挿通孔４４にランプホルダーからのリード線３３を挿通する。
【００２０】
それから、当該筒状ケース４０の内底部４１ａに積層鉄心１７とコイル１８とからなる放電灯安定器１５を横方向にして載置するとともに、前記ランプホルダー３０からのリード線３３と力率改善用コンデンサー２５のリード線２６とを接続したのち、前記放電灯安定器１５全体が埋まるまで、前記筒状ケース４０に充填材である樹脂１６を充填し、当該樹脂１６で当該放電灯安定器１５を固定する。
【００２１】
つぎに、端子台などが取付けられた電源ボックス５０を筒状ケース４０にねじ等（図示せず）にて結合し、端子台５５と横向きにした光補償装置２０とを固定板５１にねじにて固定し、当該固定板５１を電源ボックス５０内に取付ける。
【００２２】
それから、前記放電灯安定器１５と前記力率改善用コンデンサー２５から配線されているリード線２６、５６を端子台５５と光補償装置２０に結線する。また、白熱灯３９が取付けられるソケット３８を先端に有するリード線３７を外部から電源ボックス５０内または筒状ケース４０内に挿入するとともに、当該リード線３７をＨＩＤランプ３２の始動時、再始動時に当該ＨＩＤランプ３２の光束が安定するまでの間、前記白熱灯３９を自動点灯、自動消灯させる光補償装置２０に接続する。
【００２３】
上記実施の形態の作用を説明する。
【００２４】
前記光補償装置２０を筒状ケース４０の上部に配置した電源ボックス５０に取着する。それから、第１の熱発生源である放電灯安定器１５を当該筒状ケース４０内に収納するとともに、第２の熱発生源であるＨＩＤランプ３２を当該筒状ケース４０の底部４１側に配置したランプホルダー３０に取着する。これにより、温度依存のある電子部品である電解コンデンサやトライアックなどを有する光補償装置２０は、熱発生源である放電灯安定器１５とＨＩＤランプ３２より距離を離して配置されている。その結果、光補償装置２０に使用されている温度依存のある電子部品の定格を低くすることができるので、安価な電子部品を使用できる。
【００２５】
この結果、安価で、且つ、従来技術と変わらない寿命を有する白熱灯とＨＩＤランプとを備えた照明器具を提供することができる。
【００２６】
また、照明器具は、底部４１にＨＩＤランプ２３を着脱可能に取着するランプホルダー３０が接続された筒状ケース４０と、この筒状ケース４０内に横方向に収納され充填材である樹脂１６で固定した積層鉄心１７とコイル１８とからなる安定器１５と、前記筒状ケース４０の上部に取付けられた電源ボックス５０と、外部に配置された白熱灯３９とを備え、前記電源ボックス５０の固定板５１には、前記ＨＩＤランプ３２の始動時、再始動時に当該ＨＩＤランプ３２の光束が安定するまでの間、前記外部に配置した白熱灯３９を自動点灯、消灯させる光補償装置２０を横方向に取付けた構成にした。
【００２７】
このように放電灯安定器１５を、筒状ケース４０の内底部４１ａに横方向に載置するとともに、光補償装置２０も電源ボックス５０の固定板５１に水平方向に固定したので、照明器具の高さが低くなり、薄型な照明器具を提供できる。
【００２８】
【発明の効果】
以上詳記したように本発明によれば、温度依存のある電子部品を有する光補償装置は、筒状ケースの上部側に取付けられた電源ボックスに配置するとともに、熱発生源であるＨＩＤランプと安定器は、当該筒状ケースの上部側と離間した当該筒状ケースの底部と当該筒状ケース内に収納されていることから、定格が低い温度依存の電子部品が使用可能になる。このことから、安価な電子部品を使用でき、安価な照明器具を提供することができる。
【図面の簡単な説明】
【図１】本発明の第１実施の形態に係る白熱灯とＨＩＤランプとを有する照明器具の全体構成を示す一部断面を含む正面図。
【図２】同実施の形態における照明器具を示す斜視図。
【図３】従来技術に係る白熱灯とＨＩＤランプとを有する照明器具を示す斜視図。
【符号の説明】
１５…放電灯安定器（安定器），１６…樹脂（充填材），１７…積層鉄心，１８…コイル，２０…光補償装置，３０…ランプホルダー，３２…ＨＩＤランプ，３９…白熱灯，４０…筒状ケース，４１…底部，４３…上部開口部，５０…電源ボックス，５１…固定板。
【図１】
0003972407.tif 000002
【図２】
0003972407.tif 000003
【図３】
0003972407.tif 000004